【手続補正書】
【提出日】平成20年12月17日(2008.12.17)
【手続補正１】
【補正対象書類名】特許請求の範囲
【補正対象項目名】全文
【補正方法】変更
【補正の内容】
【特許請求の範囲】
【請求項１】
ディスプレイの表示画面に第１および第２のウィンドウを表示し、
上記第１のウィンドウに第１の情報を所定の順序で表示し、
上記第２のウィンドウに第２の情報を所定の順序で表示し、
上記第１および第２の情報を互いに連動してスクロールさせるとともに、
上記第１および第２の情報のうち少なくとも一方のスクロールの分解能は、その情報の分類の単位に対応した大きさとする
ようにした表示のスクロール方法。
【請求項２】
請求項１に記載の表示のスクロール方法において、
上記第１および第２の情報を、それぞれが備える時間情報に基づく順序で表示する
ようにした表示のスクロール方法。
【請求項３】
請求項１に記載の表示のスクロール方法において、
上記第１の情報は、１組のデータを第１の単位で分類したデータであり、
上記第２の情報は、上記１組のデータを第２の単位で分類したデータである
ようにした表示のスクロール方法。
【請求項４】
請求項３に記載の表示のスクロール方法において、
上記第１の単位は年であり、
上記第２の単位は月である
ようにした表示のスクロール方法。
【請求項５】
請求項１に記載の表示のスクロール方法において、
上記第１および第２の情報の表示は、その情報に対応する画像による表示であり、
上記画像に対する指示操作に応じて、当該画像に対応する情報を再生する
ようにした表示のスクロール方法。
【請求項６】
ディスプレイの表示画面に第１および第２のウィンドウを並べて表示し、
上記第１のウィンドウに、大分類により情報を所定の順序で表示し、
上記第２のウィンドウに、上記第１のウィンドウに表示された情報を小分類により所定の順序で表示し、
この小分類の情報をユーザの操作により上記第２のウィンドウにおいてスクロールしたとき、
上記大分類の情報を上記第１のウィンドウにおいて連動してスクロールさせるとともに、
上記大分類の情報のうち、上記第２のウィンドウの中央に位置する上記小分類の情報を含む大分類の情報を、常に上記第１のウィンドウの中央に表示する
ようにした表示のスクロール方法。
【請求項７】
ディスプレイと、
第１および第２の情報を取得する取得手段と、
上記ディスプレイに上記第１および第２の情報を表示させる制御手段と
を備え、
上記制御手段は、
上記ディスプレイの表示画面に第１および第２のウィンドウを表示させ、
上記第１のウィンドウに、上記第１の情報を所定の順序で表示させ、
上記第２のウィンドウに、第２の情報を所定の順序で表示させ、
上記第１および第２の情報を互いに連動してスクロールさせるとともに、
上記第１および第２の情報のうち少なくとも一方のスクロールの分解能は、その情報の分類の単位に対応した大きさとする
制御を行うようにした表示装置。
【請求項８】
ディスプレイの表示画面に第１および第２のウィンドウを表示する第１の処理と、
上記第１のウィンドウに、第１の情報を所定の順序で表示する第２の処理と、
上記第２のウィンドウに、第２の情報を所定の順序で表示する第３の処理と、
上記第１および第２の情報を互いに連動してスクロールさせる第４の処理と
を、コンピュータに実行させるための表示プログラムであるとともに、
上記第１および第２の情報のうち少なくとも一方のスクロールの分解能は、その情報の分類の単位に対応した大きさとする
ようにしたコンピュータに実行させるための表示プログラム。
【手続補正２】
【補正対象書類名】明細書
【補正対象項目名】発明の名称
【補正方法】変更
【補正の内容】
【発明の名称】表示のスクロール方法、表示装置および表示プログラム
【手続補正３】
【補正対象書類名】明細書
【補正対象項目名】０００１
【補正方法】変更
【補正の内容】
【０００１】
この発明は、表示のスクロール方法、表示装置および表示プログラムに関する。
【手続補正４】
【補正対象書類名】明細書
【補正対象項目名】０００３
【補正方法】変更
【補正の内容】
【０００３】
そして、この保存したデータファイルの中から目的とするデータファイルを選び出す方法として、縮小されたサムネイル画像（以下、単に「サムネイル」と記す）を利用する方法がある。つまり、例えば、デジタルカメラで撮影した画像のデータファイルであれば、各画像のサムネイルを作成し、これを一覧表示する。そして、目的とする画像のサムネイルが見つかったら、そのサムネイルをクリックする。すると、その目的とする画像のデータファイルが選択され、その画像がディスプレイに本来の大きさや状態で表示される。
【手続補正５】
【補正対象書類名】明細書
【補正対象項目名】０００４
【補正方法】変更
【補正の内容】
【０００４】
あるいは楽曲であれば、各楽曲のジャケット画像のサムネイルを一覧表示する。そして、そのうちの１つをクリックすると、対応する楽曲のデータファイルが選択され、その楽曲の再生が開始される。
【手続補正６】
【補正対象書類名】明細書
【補正対象項目名】０００８
【補正方法】変更
【補正の内容】
【０００８】
そして、上段のウィンドウ１１Ａには、楽曲のジャケット画像のサムネイル１２Ａが年単位で表示されている。つまり、サムネイル１２Ａは、それぞれの年に発売された楽曲のうち、その年に最もヒットした楽曲のジャケット画像のサムネイルであり、これらがウィンドウ１１Ａに発売年順に横一列に配列されて表示されている。また、サムネイル１２Ａの上部には、そのサムネイル１２Ａの楽曲が発売された「年」が数字１３Ａにより表示されている。さらに、ウィンドウ１１Ａの下部には、スクロールバー１４Ａが表示されるとともに、左右両側にはスクロールボタン１５Ａが表示されている。
【手続補正７】
【補正対象書類名】明細書
【補正対象項目名】０００９
【補正方法】変更
【補正の内容】
【０００９】
同様に、下段のウィンドウ１１Ｂには、楽曲のジャケット画像のサムネイル１２Ｂが月単位で表示されている。この場合、サムネイル１２Ｂは、それぞれの月に発売された楽曲のうち、その月に最もヒットした楽曲のジャケット画像のサムネイルであり、これらがウィンドウ１１Ｂに発売月順に横一列に配列されて表示されている。なお、この月ごとのサムネイル１２Ｂは年を越えて連続するものであり、すなわち、ある年の１月のサムネイルの左側には前年の12月のサムネイルが続き、逆に、ある年の12月のサムネイルの右側には翌年の１月のサムネイルが続く。
【手続補正８】
【補正対象書類名】明細書
【補正対象項目名】００１６
【補正方法】変更
【補正の内容】
【００１６】
つまり、図１１にも示すように、サムネイル１２Ａとサムネイル１２Ｂとは、時間軸の分解能は異なるが、時間的に同じ速度で移動するものである。なお、例えば図９に示すように、ウィンドウ１１Ｂの中央に1999年の６月のサムネイル１２Ｂが位置しているときには、ウィンドウ１１Ａの中央よりもやや左側に1999年のサムネイル１２Ａが位置するようにされる。すなわち、サムネイル１２Ａ、１２Ｂが表示されるとき、サムネイル１２Ａの表示位置と、サムネイル１２Ｂの表示位置との間に、位相差を生じないように同期が取られる。
【手続補正９】
【補正対象書類名】明細書
【補正対象項目名】００２４
【補正方法】変更
【補正の内容】
【００２４】
この発明においては、
ディスプレイの表示画面に第１および第２のウィンドウを表示し、
上記第１のウィンドウに第１の情報を所定の順序で表示し、
上記第２のウィンドウに第２の情報を所定の順序で表示し、
上記第１および第２の情報を互いに連動してスクロールさせるとともに、
上記第１および第２の情報のうち少なくとも一方のスクロールの分解能は、その情報の分類の単位に対応した大きさとする
ようにした表示のスクロール方法
とするものである。
【手続補正１０】
【補正対象書類名】明細書
【補正対象項目名】００２６
【補正方法】変更
【補正の内容】
【００２６】
〔１〕  表示例
図１は、この発明における表示画面の表示例を示し、この例においては、図９の場合と同様、パーソナルコンピュータにより、楽曲のデータファイルと、そのサムネイルとを管理する場合であり、サムネイルがその楽曲のＣＤのジャケット画像の場合である。また、図１において、符号１０はそのディスプレイにおける表示画面（表示領域）を示し、この例においては、この表示画面１０の全域を使用している場合である。
【手続補正１１】
【補正対象書類名】明細書
【補正対象項目名】００２７
【補正方法】変更
【補正の内容】
【００２７】
この表示画面１０には、横に長い長方形のウィンドウ１１Ａ、１１Ｂが上下２段に並んで表示されている。そして、上段のウィンドウ１１Ａには、楽曲のジャケット画像のサムネイル１２Ａが年単位で表示されている。つまり、サムネイル１２Ａは、それぞれの年に発売された楽曲のうち、その年に最もヒットした楽曲のジャケット画像のサムネイルであり、これらがウィンドウ１１Ａに発売年順に横一列に配列されて表示されている。また、サムネイル１２Ａの上部には、そのサムネイル１２Ａの楽曲が発売された「年」が数字１３Ａにより表示されている。さらに、ウィンドウ１１Ａの下部には、スクロールバー１４Ａが表示されるとともに、左右両側にはスクロールボタン１５Ａが表示されている。
【手続補正１２】
【補正対象書類名】明細書
【補正対象項目名】００２８
【補正方法】変更
【補正の内容】
【００２８】
同様に、下段のウィンドウ１１Ｂには、楽曲のジャケット画像のサムネイル１２Ｂが月単位で表示されている。この場合、サムネイル１２Ｂは、それぞれの月に発売された楽曲のうち、その月に最もヒットした楽曲のジャケット画像のサムネイルであり、これらがウィンドウ１１Ｂに発売月順に横一列に配列されて表示されている。なお、この月ごとのサムネイル１２Ｂは年を越えて連続するものであり、すなわち、ある年の１月のサムネイルの左側には前年の12月のサムネイルが続き、逆に、ある年の12月のサムネイルの右側には翌年の１月のサムネイルが続く。
【手続補正１３】
【補正対象書類名】明細書
【補正対象項目名】００３９
【補正方法】変更
【補正の内容】
【００３９】
以下同様に、サムネイル１２Ｂを経時方向と逆方向にスクロールさせていっても、1999年12月〜2000年１月のサムネイル１２Ｂがウィンドウ１１Ｂの中央に表示されている状態では、年ごとのサムネイル１２Ａとして1999年のサムネイルがウィンドウ１１Ａの中央に表示されたままとされ、次にサムネイル１２Ｂとして1998年12月のサムネイルがウィンドウ１１Ｂの中央までスクロールされると、サムネイル１２Ａは１駒分だけスクロールされ、1998年のサムネイルがウィンドウ１１Ａの中央に表示される。
【手続補正１４】
【補正対象書類名】明細書
【補正対象項目名】００４９
【補正方法】変更
【補正の内容】
【００４９】
さらに、システムバス１１１には、大容量のストレージとしてハードディスク装置１０４が接続されている。この場合、ハードディスク装置１０４には、このパーソナルコンピュータ１００を機能させるためのＯＳと、〔１〕により説明したサムネイルの表示を実現するためのプログラムとが蓄積されているとともに、さらに、楽曲として再生されるデジタルオーディオデータおよびその楽曲のジャケット画像をサムネイル１２Ａ、１２Ｂとして表示する画像データとが蓄積されている。
【手続補正１５】
【補正対象書類名】明細書
【補正対象項目名】００６９
【補正方法】変更
【補正の内容】
【００６９】
〔３〕  他の表示例
〔３−１〕  その１
図７に示す例においては、ウィンドウ１１Ａとウィンドウ１１Ｂとで異なる事項を連動表示させた場合である。すなわち、ウィンドウ１１Ａには、各年の重大ニュースを示すサムネイル１２Ａが年順に表示され、ウィンドウ１１Ｂには、各年に最もヒットした楽曲のジャケット画像のサムネイル１２Ｂが発売年順に表示されている。また、この例においては、サムネイル１２Ａと１２Ｂとは、同じ年のものが上下に並ぶように（位相がずれないように）表示されている。
【手続補正１６】
【補正対象書類名】明細書
【補正対象項目名】００７０
【補正方法】変更
【補正の内容】
【００７０】
そして、〔１〕の場合と同様、サムネイル１２Ｂをスクロールをさせると、これに連動してサムネイル１２Ａが、サムネイル１２Ｂと同じ方向に同じ割り合いで年単位でスクロールされる。あるいは逆に、サムネイル１２Ａをスクロールをさせると、これに連動してサムネイル１２Ｂが、サムネイル１２Ａと同じ方向に同じ割り合いで年単位でスクロールされる。
【手続補正１７】
【補正対象書類名】明細書
【補正対象項目名】００７７
【補正方法】変更
【補正の内容】
【００７７】
〔４〕  まとめ
上述したスクロール方法によれば、２つの連動するウィンドウ１１Ａ、１１Ｂにおいて、連動元のサムネイルをスクロールさせると、そのスクロールの結果が連動先のサムネイルの表示単位で伝達されるので、連動先のサムネイルはその表示単位のスクロールとなる。したがって、例えば図１〜図３にも示すように、年ごとのサムネイル１２Ａと月ごとのサムネイル１２Ｂとの対応が分かりやすく、瞬時に２つのウィンドウ１１Ａ、１１Ｂのサムネイル１２Ａ、１２Ｂの対応関係を把握することができる。
【手続補正１８】
【補正対象書類名】明細書
【補正対象項目名】００７９
【補正方法】変更
【補正の内容】
【００７９】
さらに、上述においては、ウィンドウ１１Ａ、１１Ｂのサムネイル１２Ａ、１２Ｂが、ＣＤのジャケット画像の場合であるとしたが、年表、書籍の表紙、各種の資料、プライベートな写真、静止画、動画、ネットワーク１３１を通じてダウンロードができる楽曲などのコンテンツのサムネイルなどとすることもできる。そして、それらの場合、目的とするサムネイル１２Ａあるいは１２Ｂをクリックしたとき、そのサムネイルを与えているコンテンツ（本体）を本来の大きさで表示したり、ダウンロードをしたりすることもできる。
【手続補正１９】
【補正対象書類名】明細書
【補正対象項目名】００８１
【補正方法】変更
【補正の内容】
【００８１】
すなわち、
(A) ウィンドウ１１Ａに大分類により分類した事項（例えばＮ年）のサムネイル１２Ａを所定の順序で表示する。
(B) ウィンドウ１１Ｂに小分類により分類した事項（例えばｎ月）のサムネイル１２Ｂを所定の順序で表示する。
(C) サムネイル１２Ａ、１２Ｂの表示をスクロール可能とする。
(D) ウィンドウ１１Ｂの中央に位置するサムネイル１２Ｂに対応する小分類の事項（Ｎ年ｎ月）が、ある大分類の事項（Ｎ年）に含まれるとき、その大分類の事項（Ｎ年）サムネイル１２Ａを、常にがウィンドウ１１Ａの中央に表示する。
ようにすればよい。
【手続補正２０】
【補正対象書類名】明細書
【補正対象項目名】００８２
【補正方法】削除
【補正の内容】
【手続補正２１】
【補正対象書類名】図面
【補正対象項目名】図７
【補正方法】変更
【補正の内容】
【図７】
2008052621.tif 000001